(57)【要約】【課題】シール性を確保すること。【解決手段】左右に延在する状態で建物の外壁Ｗに取り付けられた垂木掛け１３と、外壁Ｗから突出するように延在し、外壁Ｗ側の端部が垂木掛け１３の端部に連結された妻垂木１９とを備え、垂木掛け１３において外壁Ｗ側の上方縁部に設けられたシール溝１３ａにシール材を塗布することにより外壁Ｗと垂木掛け１３との間がシールされる屋根構造体の後端部キャップ４０であって、垂木掛け１３の小口端面を覆う後本体カバー部４１を有し、後本体カバー部４１の外表面４１ｂには、外壁Ｗ側の縁部において垂木掛け１３のシール溝１３ａに対応した部位に上下に沿い、かつ外壁Ｗ側及び外表面４１ｂに開口する溝状凹部７０が設けられている。【選択図】図１１
2020045707.tif 000002
【特許請求の範囲】
【請求項１】
左右に延在する状態で建物の外壁に取り付けられた横枠と、前記外壁から突出するように延在し、前記外壁側の端部が前記横枠の端部に連結された側枠とを備え、前記横枠において前記外壁側の上方縁部に設けられたシール溝にシール材を塗布することにより前記外壁と前記横枠との間がシールされる屋根構造体の端部キャップであって、
前記横枠の小口端面を覆う本体カバー部を有し、前記本体カバー部の外表面には、前記外壁側の縁部において前記横枠のシール溝に対応した部位に上下に沿い、かつ前記外壁側及び前記外表面に開口する溝状凹部が設けられていることを特徴とする屋根構造体の端部キャップ。
【請求項２】
前記本体カバー部には、前記横枠の上面を覆う上方カバー部が一体に設けられ、
前記上方カバー部の上面には、前記溝状凹部に連続する部位に、前記外壁側及び前記上面に開口する上方溝状凹部が設けられていることを特徴とする請求項１に記載の屋根構造体の端部キャップ。
【請求項３】
建物の外壁から突出するように延在した側枠と、
左右に延在する状態で端部が前記側枠の端部に連結された横枠と、
前記側枠の下面に取り付けられた上框部材と、
上下に沿って延在し、上端部が前記上框部材の端部に連結された縦框部材と、
を備え、前記上框部材及び前記縦框部材を介してパネルを支持した屋根構造体の端部キャップであって、
前記横枠の小口端面を覆う本体カバー部と、前記上框部材及び前記縦框部材の接合部を覆う框カバー部とが一体に設けられていることを特徴とする屋根構造体の端部キャップ。
【請求項４】
前記本体カバー部には、前記側枠の外方側面を覆う側枠カバー部が一体に設けられていることを特徴とする請求項３に記載の屋根構造体の端部キャップ。
【請求項５】
前記側枠の端部には、上下に沿って延在する縦枠の上端部が連結されており、
前記本体カバー部には、縦枠の外方側面を覆う縦枠カバー部が一体に設けられていることを特徴とする請求項３に記載の屋根構造体の端部キャップ。
【請求項６】
前記横枠は、前記建物の前記外壁に取り付けられ、前記外壁側の上方縁部にシール溝を有するとともに、シール溝に前記外壁との間のシールを行うシール材が塗布されたものであり、
前記本体カバー部の外表面には、前記外壁側の縁部において前記横枠のシール溝に対応した部位に上下に沿い、かつ前記外壁側及び前記外表面に開口する溝状凹部が設けられていることを特徴とする請求項３に記載の屋根構造体の端部キャップ。
【請求項７】
請求項１〜請求項６のいずれか一つに記載された端部キャップを前記横枠の端部に取り付けたことを特徴とする屋根構造体。
【発明の詳細な説明】
【技術分野】
【０００１】
本発明は、屋根構造体を構成する横枠の小口端面に取り付けられる端部キャップ及び屋根構造体に関するものである。
【背景技術】
【０００２】
テラス囲い等、建物の外壁に設けられる屋根構造体には、外壁との間にシール性を確保する必要がある。このため、例えば外壁に取り付けられる垂木掛け（横枠）には、外壁側の上方縁部にシール材を塗布するためのシール溝が設けられている。また、この種の屋根構造体では、垂木掛けの小口端面に端部キャップが取り付けられており、垂木掛けの内部に水が浸入する事態を防止するようにしている（例えば、特許文献１参照）。
【先行技術文献】
【特許文献】
【０００３】
【特許文献１】実公平６−８１６３号公報
【発明の概要】
【発明が解決しようとする課題】
【０００４】
上述の屋根構造体では、端部キャップの縁部が外壁に対向した構造であるため、これらの隙間からも内部に水が浸入するおそれがある。このため従来では、端部キャップを取り付けた後に外壁との間にシール材を塗布することによって水の浸入を防止するようにしている。しかしながら、外壁と端部キャップの外表面との間には三角シールを形成する必要があり、シール材を塗布する作業が煩雑となる。しかも、上述のシール材は、垂木掛けの小口端面に端部キャップを取り付けた後でなければ行うことができず、作業者がシール材の塗布作業を忘れてしまう懸念もある。
【０００５】
一方、屋根構造体には、垂木掛けの端部に側枠及び縦枠を備えるとともに、側枠の下方に屋根妻パネルを支持させるようにしたものもある。側枠は、外壁から突出する方向に延在されており、縦枠は、垂木掛けの端部から下方に向けて延在されたものである。側枠の下面や縦枠の室外に臨む表面には、屋根妻パネルを支持するための回り縁と称される框部材が設けられている。こうした框部材を備える屋根構造体においては、端部キャップを取り付けた後、框部材の接合部に対してもシール材を塗布する必要があり、組立作業が煩雑化する要因となり得る。
【０００６】
本発明は、上記実情に鑑みて、シール性を確保することのできる端部キャップ及び屋根構造体を提供することを目的とする。また、組立作業を容易化することのできる端部キャップ及び屋根構造体を提供することを目的とする。
【課題を解決するための手段】
【０００７】
上記目的を達成するため、本発明に係る端部キャップは、左右に延在する状態で建物の外壁に取り付けられた横枠と、前記外壁から突出するように延在し、前記外壁側の端部が前記横枠の端部に連結された側枠とを備え、前記横枠において前記外壁側の上方縁部に設けられたシール溝にシール材を塗布することにより前記外壁と前記横枠との間がシールされる屋根構造体の端部キャップであって、前記横枠の小口端面を覆う本体カバー部を有し、前記本体カバー部の外表面には、前記外壁側の縁部において前記横枠のシール溝に対応した部位に上下に沿い、かつ前記外壁側及び前記外表面に開口する溝状凹部が設けられていることを特徴とする。
【０００８】
また、本発明に係る端部キャップは、建物の外壁から突出するように延在した側枠と、左右に延在する状態で端部が前記側枠の端部に連結された横枠と、前記側枠の下面に取り付けられた上框部材と、上下に沿って延在し、上端部が前記上框部材の端部に連結された縦框部材と、を備え、前記上框部材及び前記縦框部材を介してパネルを支持した屋根構造体の端部キャップであって、前記横枠の小口端面を覆う本体カバー部と、前記上框部材及び前記縦框部材の接合部を覆う框カバー部とが一体に設けられていることを特徴とする。
【０００９】
また、本発明に係る屋根構造体は、上述した端部キャップを前記横枠の端部に取り付けたことを特徴とする。
【発明の効果】
【００１０】
本発明によれば、本体カバー部の外表面に設けられた溝状凹部にシール材を塗布すれば良く、三角シールを形成する必要がないため、容易な作業でシール性を確保することができる。しかも、シール材を塗布していない場合には、本体カバー部の外表面に溝状凹部が露出した状態となるため、目視によって容易に確認することができ、シール材の塗布作業を忘れる事態を防止することも可能となる。
【００１１】
また本発明によれば、横枠の小口端面を覆うことによって上框部材及び縦框部材の接合部が同時に覆われるため、框カバー部にシール材を塗布しておくことで、上框部材及び縦框部材の接合部についてもシール性を確保することができるようになり、組立作業を容易化することができる。
【図面の簡単な説明】
【００１２】
【図１】本発明の実施の形態である端部キャップを適用した屋外構造物を示すもので、（ａ）は外観斜視図、（ｂ）はフレーム材の構成を示す斜視図である。
【図２】図１に示した屋外構造物の屋根構造体を示す拡大断面側面図である。
【図３】図２におけるＩＩＩ−ＩＩＩ線断面図である。
【図４】図２に示した屋根構造体の横断面図である。
【図５】図２に示した屋根構造体の前枠部分を示す拡大斜視図である。
【図６】図２に示した屋根構造体に適用する前端部キャップを示すもので、（ａ）は外表面側から見た斜視図、（ｂ）は内表面側から見た斜視図である。
【図７】図２に示した屋根構造体の前枠部分と前端部キャップとを示すもので、（ａ）は前端部キャップを内表面側から見た側面図、（ｂ）は前端部キャップを取り付ける以前の前枠部分の断面側面図、（ｃ）は前枠部分に取り付けた状態の前端部キャップを内表面側から見た側面図である。
【図８】図２に示した屋根構造体に適用する後端部キャップを示すもので、（ａ）は外表面側から見た斜視図、（ｂ）は内表面側から見た斜視図である。
【図９】図２に示した屋根構造体に適用する後端部キャップを示すもので、（ａ）は平面図、（ｂ）は外表面側から見た側面図である。
【図１０】図２に示した屋根構造体の垂木掛け部分と後端部キャップとを示すもので、（ａ）は後端部キャップを内表面側から見た側面図、（ｂ）は後端部キャップを取り付ける以前の垂木掛け部分の断面側面図、（ｃ）は垂木掛け部分に取り付けた状態の後端部キャップを内表面側から見た側面図である。
【図１１】垂木掛け部分に取り付けた状態の後端部キャップを外表面側から見た側面図である。
【発明を実施するための形態】
【００１３】
以下、添付図面を参照しながら本発明に係る端部キャップ及び屋根構造体の好適な実施の形態について詳細に説明する。
図１〜図５は、本発明の実施の形態である端部キャップを適用した屋外構造物を示したものである。ここで例示する屋外構造物１０は、建物の外壁Ｗに隣接したテラス１を利用してサンルームを構成するためのテラス囲いと称されるもので、複数のフレーム材を組み合わせることによって構成した略直方体状の外殻を備えている。フレーム材は、アルミニウム合金等の金属によって成形した押し出し形材であり、長手に沿った全長がほぼ一様の断面を有するように構成してある。本実施の形態では、フレーム材として、躯体縦枠（縦枠）１１、根太掛け１２、垂木掛け（横枠）１３、妻梁１４、柱１５、桁１６、前枠（横枠）１７、腕木１８、妻垂木（側枠）１９を適用し、これらを適宜組み合わせることによって屋外構造物１０の外殻が構成してある。このうち、躯体縦枠１１、垂木掛け１３、前枠１７、腕木１８、妻垂木１９は、後述する框部材２１、屋根パネル２２、屋根妻パネル（パネル）２３及び端部キャップ３０，４０とによって屋根構造体を構成するものである。
【００１４】
以下、屋外構造物１０についてより具体的に説明する。なお、以下においては便宜上、建物の上下に沿う方向を上下、外壁Ｗに沿って水平となる方向を左右、外壁Ｗに直交して水平となる方向を前後とし、外壁Ｗから離隔する方向を前方、外壁Ｗに近接する方向を後方と称することとする。この屋外構造物１０では、まず、建物の外壁Ｗに左右の躯体縦枠１１を取り付けるとともに、躯体縦枠１１の下端部間を連結するように根太掛け１２を取り付け、かつ躯体縦枠１１の上端部間を連結するように垂木掛け１３を取り付けることにより、建物の外壁Ｗに矩形の枠が構成される。垂木掛け１３は、両端の小口端面が左右に開口するように、両端部の下面を介して躯体縦枠１１の上面に当接した状態で外壁Ｗに取り付けてある。図からも明らかなように、垂木掛け１３及び躯体縦枠１１には、外壁Ｗに当接する面の縁部にシール溝１３ａ，１１ａが設けてある。垂木掛け１３には、外壁Ｗ側の上方縁部にシール溝１３ａが設けてあり、躯体縦枠１１には、外壁Ｗ側の両側縁部にそれぞれシール溝１１ａが設けてある。これらのシール溝１３ａ，１１ａは、垂木掛け１３や躯体縦枠１１を建物に取り付けた場合に、外壁Ｗとの間に断面が矩形状となるように構成したもので、垂木掛け１３及び躯体縦枠１１で互いに同一の幅を有するように構成してある。
【００１５】
根太掛け１２には、両端部から室外側に向けてほぼ水平となるように左右の妻梁１４が突設してあり、妻梁１４の延在端部には、それぞれ柱１５が連結してある。柱１５は、左右の躯体縦枠１１と同じ間隔を確保した位置に上下に沿う状態でテラス１に立設したもので、個々の上端が躯体縦枠１１の上端よりも低くなるように設けてある。左右の柱１５の間には、桁１６及び前枠１７が取り付けてある。桁１６は、妻梁１４とほぼ同じ高さとなるように配設したもので、左右に沿ってほぼ水平に延在している。前枠１７は、左右両端部の下面にそれぞれ柱１５の上端面が当接するように配設してあり、垂木掛け１３よりも低い位置において左右に沿ってほぼ水平に延在している。なお、本実施の形態では、これら左右の柱１５、桁１６及び前枠１７によって構成される矩形状の前面開口２４に引き違い窓５０が取り付けてあり、左右の障子５１をスライドさせることで前面開口２４を開閉することが可能である。
【００１６】
前枠１７は、中空の筒状を成す前枠基部１７ａと、前枠基部１７ａの上部に設けた上方ヒレ部１７ｂと、前枠基部１７ａの外周側となる側面に設けた前方ヒレ部１７ｃとを一体に構成したものである。上方ヒレ部１７ｂは、前枠基部１７ａとの間に、後述する屋根パネル２２の縁部が挿入されるパネル装着溝１７ｄを構成するためのもので、前枠基部１７ａの上部から上方に突出した後、建物の外壁Ｗに近接する方向に屈曲して延在している。前方ヒレ部１７ｃは、前枠基部１７ａの外周に樋１７ｅを構成するためのもので、前枠基部１７ａの側面から斜め上方に突出した後、鉛直上方に向けて屈曲し、さらに屈曲縁部が建物の外壁Ｗに向けてわずかに屈曲している。
【００１７】
前枠１７の両端部には、躯体縦枠１１との間にそれぞれ腕木１８が取り付けてある。腕木１８は、前枠１７の下方部から外壁Ｗに向けてほぼ水平に延在し、延在端部が躯体縦枠１１の室外に臨む表面１１ｃに連結してあり、躯体縦枠１１、柱１５及び妻梁１４との間に矩形状の側方開口２５を構成している。なお、本実施の形態では、左右の側方開口２５にそれぞれＦＩＸ窓６０が取り付けてあり、側方開口２５が常時閉塞された状態にある。
【００１８】
さらに、前枠１７の両端部には、腕木１８よりも上方となる部位にそれぞれ妻垂木１９が取り付けてある。妻垂木１９は、建物の外壁Ｗに向けて漸次上方となるように傾斜し、延在端部がそれぞれ垂木掛け１３の両端部に連結してある。左右の妻垂木１９は、垂木掛け１３及び前枠１７との間に矩形状の屋根開口２６を構成し、かつ躯体縦枠１１、腕木１８及び前枠１７との間にそれぞれ台形状の屋根妻開口２７を構成している。
【００１９】
屋根開口２６には、妻垂木１９と平行となるように垂木２８が設けられるとともに、開口２６を閉塞するように屋根パネル２２が取り付けてある。屋根パネル２２は、屋外構造物１０の屋根となるもので、外壁Ｗから離隔するに従って漸次下方となるように傾斜している。図からも明らかなように、屋根パネル２２は、四周の縁部を垂木掛け１３、妻垂木１９及び前枠１７のそれぞれに設けたパネル装着溝１７ｄに挿入することにより、屋根開口２６を常時閉塞する状態で取り付けてある。
【００２０】
一方、屋根妻開口２７には、屋根妻パネル２３が配設してある。屋根妻パネル２３は、四周の縁部を妻垂木１９、躯体縦枠１１、腕木１８及び前枠１７に設けたパネル収容溝２９に挿入することにより、屋根妻開口２７を常時閉塞する状態で取り付けてある。腕木１８には、その上面にパネル収容溝２９が一体に形成してある。これに対して妻垂木１９、躯体縦枠１１及び前枠１７では、パネル収容溝２９を有した框部材２１を別体に成形し、それぞれの内周側となる周面に框部材２１を取り付けることによってパネル収容溝２９が設けてある。框部材２１は、妻垂木１９、躯体縦枠１１及び前枠１７よりも幅が小さく構成してあり、個々の外方側面２１ａが、妻垂木１９の外方側面１９ｂ、躯体縦枠１１の外方側面１１ｂ及び前枠１７の小口端面１７ｆに対して一段退行した位置に配置されている。同様に、腕木１８には、パネル収容溝２９よりも室外側に位置する部位に、腕木１８の外方側面１８ａよりも一段退行した段状側面１８ｂが設けてある。この段状側面１８ｂは、框部材２１の外方側面２１ａとほぼ同一の平面上に位置している。図からも明らかなように、本実施の形態では、前枠１７に設けた框部材（以下、区別する場合に前縦框部材２１Ａという）の上端部に妻垂木１９に設けた框部材（以下、区別する場合に上框部材２１Ｂという）が挿入する形で連結してある。また、上框部材２１Ｂにおいて外壁Ｗ側に位置する端部には、その下面に躯体縦枠１１に設けた框部材（以下、区別する場合に後縦框部材２１Ｃという）の上端面が当接した状態で連結してある。
【００２１】
上述の屋根パネル２２及び屋根妻パネル２３としては、ポリカーボネート等の樹脂によって成形した透光性を有する板材を適用している。パネル装着溝１７ｄの内部においては、屋根パネル２２の上下両面に対して少なくとも一方にシール部材２２ａが当接した状態にあり、パネル収容溝２９の内部においては、屋根妻パネル２３の内外両表面に対して少なくとも一方にシール部材２３ａが当接した状態にある。屋根パネル２２に当接するシール部材２２ａ及び屋根妻パネル２３に当接するシール部材２３ａは、予め成形されたものである。
【００２２】
また、屋外構造物１０には、前枠１７の小口端面１７ｆ及び垂木掛け１３の小口端面にそれぞれ端部キャップ３０，４０が装着してある。
【００２３】
前枠１７の端部キャップ（以下、前端部キャップ３０という）は、図２、図４〜図７に示すように、前枠１７の小口端面１７ｆを覆う前本体カバー部３１と、前縦框部材２１Ａの外方側面２１ａからパネル収容溝２９に隣接する表面までの間を覆う前縦框カバー部３２と、妻垂木１９の外方側面１９ｂを覆う前側枠カバー部３３とを樹脂によって一体に成形したものである。
【００２４】
前本体カバー部３１及び前側枠カバー部３３は、ほぼ同一の平面上に位置する板状部材である。これに対して前縦框カバー部３２は、前本体カバー部３１との間及び前側枠カバー部３３との間がそれぞれ前周囲カバー部３４によって連結してあり、その外表面３２ａが前本体カバー部３１の外表面３１ａ及び前側枠カバー部３３の外表面３３ａよりも一段退行した位置に配置してある。前周囲カバー部３４は、妻垂木１９の下面１９ｃ及び前枠１７の外壁Ｗに臨む表面１７ｇを覆う部分であり、前本体カバー部３１及び前側枠カバー部３３に対してほぼ直交する方向に延在している。つまり、前本体カバー部３１の内表面３１ｂを前枠１７の小口端面１７ｆに当接もしくは近接して配置した場合に、前側枠カバー部３３の内表面３３ｂが妻垂木１９の外方側面１９ｂに当接もしくは近接して配置されるとともに、前縦框カバー部３２の内表面３２ｂが前縦框部材２１Ａの外方側面２１ａに当接もしくは近接して配置され、前周囲カバー部３４の内表面３４ａが妻垂木１９の下面１９ｃ及び前枠１７の外壁Ｗに臨む表面１７ｇに当接もしくは近接して配置されるように構成してある。
【００２５】
この前端部キャップ３０には、前本体カバー部３１の内表面３１ｂにおいて前枠１７が当接もしくは近接して配置される部分に一連の端部溝３０ａが形成してある。また、前側枠カバー部３３の内表面３３ｂ、前縦框カバー部３２の内表面３２ｂ及び前周囲カバー部３４の内表面３４ａには、妻垂木１９及び前縦框部材２１Ａに対向する部位の縁部に一連のシール溝３０ｂが形成してある。
【００２６】
垂木掛け１３の端部キャップ（以下、後端部キャップ４０という）は、図２、図３、図８〜図１０に示すように、垂木掛け１３の小口端面を覆う後本体カバー部４１と、垂木掛け１３の上面１３ｂを覆う後上方カバー部４２と、上框部材２１Ｂ及び後縦框部材２１Ｃの接合部を覆う後框カバー部４３と、妻垂木１９の外方側面１９ｂを覆う後側枠カバー部４４と、躯体縦枠１１の外方側面１１ｂを覆う後縦枠カバー部４５とを樹脂によって一体に成形したものである。本実施の形態では、後本体カバー部４１の上縁及び後側枠カバー部４４の上縁にわたって後上方カバー部４２が設けてある。
【００２７】
後本体カバー部４１、後側枠カバー部４４及び後縦枠カバー部４５は、ほぼ同一の平面上に位置する板状部材である。これに対して後框カバー部４３は、後側枠カバー部４４との間及び後縦枠カバー部４５との間がそれぞれ後周囲カバー部４６によって連結してあり、その外表面４３ａが後側枠カバー部４４の外表面４４ａ及び後縦枠カバー部４５の外表面４５ａよりも一段退行した位置に配置してある。後周囲カバー部４６は、妻垂木１９の下面１９ｃ及び躯体縦枠１１の室外に臨む表面１１ｃを覆う部分であり、後側枠カバー部４４及び後縦枠カバー部４５に対してほぼ直交する方向に延在している。つまり、後本体カバー部４１の内表面４１ａを前枠１７の小口端面１７ｆに当接もしくは近接して配置した場合に、後側枠カバー部４４の内表面４４ｂが妻垂木１９の外方側面１９ｂに当接もしくは近接して配置され、かつ後縦枠カバー部４５の内表面４５ｂが躯体縦枠１１の外方側面１１ｂに当接もしくは近接して配置される。さらに、後框カバー部４３の内表面４３ｂが上框部材２１Ｂの外方側面２１ａ及び後縦框部材２１Ｃの外方側面２１ａに当接もしくは近接して配置され、後周囲カバー部４６が妻垂木１９の下面１９ｃ及び躯体縦枠１１の室外に臨む表面１１ｃに当接もしくは近接して配置されるように構成してある。図からも明らかなように、後框カバー部４３の下縁部は、内方に向けてほぼ直角に屈曲している。
【００２８】
この後端部キャップ４０には、後本体カバー部４１の内表面４１ａにおいて垂木掛け１３に対向する部位の縁部、妻垂木１９に対向する部位の縁部、上框部材２１Ｂに対向する部位の縁部、躯体縦枠１１に対向する部位の縁部に一連のシール台部４０ａが形成してある。また、垂木掛け１３の小口端面に対向する部位には、垂木掛け１３に挿入することによって相対的な位置決めを行う位置決め突条４０ｂが複数突出するように設けてある。
【００２９】
また、後端部キャップ４０には、後本体カバー部４１に溝状凹部７０が設けてあるとともに、後上方カバー部４２に上方溝状凹部７１が設けてある。溝状凹部７０は、後本体カバー部４１の外表面４１ｂにおいて外壁Ｗ側の縁部に形成した凹所であり、後本体カバー部４１の外表面４１ｂ及び外壁Ｗ側の縁部に開口している。この溝状凹部７０は、垂木掛け１３のシール溝１３ａ及び躯体縦枠１１のシール溝１１ａと同じ幅を有しており、後端部キャップ４０を垂木掛け１３の小口端面に取り付けた場合に、垂木掛け１３のシール溝１３ａ及び躯体縦枠１１のシール溝１１ａの延長上に位置するように対応して設けてある。上方溝状凹部７１は、後上方カバー部４２の上面において外壁Ｗ側の縁部に形成した凹所であり、後上方カバー部４２の上面及び外壁Ｗ側の縁部に開口している。この上方溝状凹部７１は、後本体カバー部４１の溝状凹部７０と同一の幅を有し、かつ溝状凹部７０に連続している。これら溝状凹部７０及び上方溝状凹部７１は、後本体カバー部４１や後上方カバー部４２の板厚に対してそれぞれほぼ１／２の深さを有するように形成してある。
【００３０】
さらに、後端部キャップ４０には、外表面に折り取り線４７が形成してある。折り取り線４７は、後本体カバー部４１と後縦枠カバー部４５との境界から後側枠カバー部４４と後周囲カバー部４６との境界となる部分にわたって溝状の切欠を形成することにより、後端部キャップ４０の板厚を減少させた部分である。この折り取り線４７を備える後端部キャップ４０部は、カッター等の切断工具を用いることにより、現場においても、後本体カバー部４１、後上方カバー部４２及び後側枠カバー部４４から成る上方キャップ部４０Ａと、後縦枠カバー部４５、後周囲カバー部４６及び後框カバー部４３から成る下方キャップ部４０Ｂとに容易に分断することが可能である。
【００３１】
上記のように構成した屋外構造物１０では、図１（ｂ）に示すように、建物の外壁Ｗに躯体縦枠１１、根太掛け１２及び垂木掛け１３を取り付けた後、躯体縦枠１１及び垂木掛け１３に対して左右の腕木１８及び妻垂木１９を取り付け、さらに腕木１８及び妻垂木１９の相互間に前枠１７を設けることで屋根構造体の骨格が構成される。この状態から、前枠１７の両小口端面１７ｆに前端部キャップ３０が取り付けられるとともに、垂木掛け１３の両小口端面に後端部キャップ４０が取り付けられる。このとき、前端部キャップ３０のシール溝３０ｂに予めシール材を塗布しておき、かつ後端部キャップ４０のシール台部４０ａに予めシール材を塗布しておけば、それぞれの端部キャップ３０，４０を取り付けることにより、屋根構造体のシール性を確保することが可能となる。
【００３２】
すなわち、前端部キャップ３０においては、前本体カバー部３１によって前枠１７の小口端面１７ｆが閉塞される。さらに前側枠カバー部３３によって前枠１７と妻垂木１９との接合部がシールされるとともに、前縦框カバー部３２及び前周囲カバー部３４によって前枠１７と前縦框部材２１Ａとの接合部、妻垂木１９と前縦框部材２１Ａとの接合部、上框部材２１Ｂと前縦框部材２１Ａとの接合部、前縦框部材２１Ａと腕木１８との接合部がそれぞれシールされることになる。従って、前端部キャップ３０を取り付けた後においては、これらの接合部に対して個別にシール材を塗布する作業を行う必要がなくなり、屋根構造体を組み立てる作業を煩雑化することなくシール性を確保することが可能となる。
【００３３】
同様に、後端部キャップ４０においては、後本体カバー部４１によって垂木掛け１３の小口端面が閉塞される。さらに、後本体カバー部４１、後上方カバー部４２及び後側枠カバー部４４によって垂木掛け１３と妻垂木１９との接合部、垂木掛け１３と躯体縦枠１１との接合部がシールされるとともに、後框カバー部４３及び後周囲カバー部４６によって妻垂木１９と上框部材２１Ｂとの接合部、躯体縦枠１１と後縦框部材２１Ｃとの接合部、上框部材２１Ｂと後縦框部材２１Ｃとの接合部がそれぞれシールされることになる。従って、後端部キャップ４０を取り付けた後においては、これらの接合部に対して個別にシール材を塗布する作業を行う必要がなくなり、屋根構造体を組み立てる作業を煩雑化することなくシール性を確保することが可能となる。
【００３４】
さらに、後端部キャップ４０を取り付けた後においては、垂木掛け１３のシール溝１３ａ、後端部キャップ４０の上方溝状凹部７１、溝状凹部７０、躯体縦枠１１のシール溝１１ａに対してシール材Ｓを連続して塗布すれば、建物の外壁Ｗと屋外構造物１０との間にシール性を確保することができる。このとき、垂木掛け１３のシール溝１３ａ、後端部キャップ４０の上方溝状凹部７１、溝状凹部７０、躯体縦枠１１のシール溝１１ａは、いずれも建物の外壁Ｗとの間に断面が矩形状となるように構成したものである。従って、シール材Ｓを塗布する際に三角シールを形成する必要がなくなるため、煩雑な作業を要することなく十分なシール性を確保することができる。しかも、シール材Ｓを塗布していない状態においては、垂木掛け１３の上面１３ｂにシール溝１３ａが、躯体縦枠１１の外方側面１１ｂにシール溝１１ａが、後端部キャップ４０の表面に上方溝状凹部７１及び溝状凹部７０が、それぞれ凹部として露出することになるため、目視によってこれを容易に確認することができ、シール材の塗布作業を忘れる事態を防止することも可能となる。
【００３５】
なお、上述した実施の形態では、躯体縦枠１１、腕木１８及び屋根妻パネル２３を有したテラス囲いと称される屋外構造物１０に適用された屋根構造体を例示しているが、本発明は必ずしもこれに限定されず、躯体縦枠１１、腕木１８及び屋根妻パネル２３を有していない屋根構造体に対しても後端部キャップ４０を適用することが可能である。この場合には、カッターを用いて折り取り線４７から下方キャップ部を切断すれば良く、現場においても対応することが可能である。
【００３６】
また、上述した実施の形態では、後上方カバー部４２を有した後端部キャップ４０を例示しているが、後上方カバー部４２は必ずしも設ける必要はない。
【００３７】
以上のように、本発明に係る端部キャップは、左右に延在する状態で建物の外壁に取り付けられた横枠と、前記外壁から突出するように延在し、前記外壁側の端部が前記横枠の端部に連結された側枠とを備え、前記横枠において前記外壁側の上方縁部に設けられたシール溝にシール材を塗布することにより前記外壁と前記横枠との間がシールされる屋根構造体の端部キャップであって、前記横枠の小口端面を覆う本体カバー部を有し、前記本体カバー部の外表面には、前記外壁側の縁部において前記横枠のシール溝に対応した部位に上下に沿い、かつ前記外壁側及び前記外表面に開口する溝状凹部が設けられていることを特徴としている。
【００３８】
この発明によれば、本体カバー部の外表面に設けられた溝状凹部にシール材を塗布すれば良く、三角シールを形成する必要がないため、容易な作業でシール性を確保することができる。しかも、シール材を塗布していない場合には、本体カバー部の外表面に溝状凹部が露出した状態となるため、目視によって容易に確認することができ、シール材の塗布作業を忘れる事態を防止することも可能となる。
【００３９】
また本発明は、上述した端部キャップにおいて、前記本体カバー部には、前記横枠の上面を覆う上方カバー部が一体に設けられ、前記上方カバー部の上面には、前記溝状凹部に連続する部位に、前記外壁側及び前記上面に開口する上方溝状凹部が設けられていることを特徴としている。
【００４０】
この発明によれば、上方カバー部の上面に上方溝状凹部が設けられているため、溝状凹部に塗布したシール材が端部キャップの上面まで連続するようになり、横枠のシール溝に塗布したシール材との連続性をより確実なものとすることができる。
【００４１】
また、本発明に係る端部キャップは、建物の外壁から突出するように延在した側枠と、左右に延在する状態で端部が前記側枠の端部に連結された横枠と、前記側枠の下面に取り付けられた上框部材と、上下に沿って延在し、上端部が前記上框部材の端部に連結された縦框部材と、を備え、前記上框部材及び前記縦框部材を介してパネルを支持した屋根構造体の端部キャップであって、前記横枠の小口端面を覆う本体カバー部と、前記上框部材及び前記縦框部材の接合部を覆う框カバー部とが一体に設けられていることを特徴としている。
【００４２】
この発明によれば、横枠の小口端面を覆うことによって上框部材及び縦框部材の接合部が同時に覆われるため、框カバー部にシール材を塗布しておくことで、上框部材及び縦框部材の接合部についてもシール性を確保することができるようになり、組立作業を容易化することができる。
【００４３】
また本発明は、上述した端部キャップにおいて、前記本体カバー部には、前記側枠の外方側面を覆う側枠カバー部が一体に設けられていることを特徴としている。
【００４４】
この発明によれば、横枠の小口端面を覆うことによって横枠及び側枠の接合部も同時に覆われるため、側枠カバー部にシール材を塗布しておくことで、横枠及び側枠の接合部についてもシール性を確保することができるようになる。
【００４５】
また本発明は、上述した端部キャップにおいて、前記側枠の端部には、上下に沿って延在する縦枠の上端部が連結されており、前記本体カバー部には、縦枠の外方側面を覆う縦枠カバー部が一体に設けられていることを特徴としている。
【００４６】
この発明によれば、横枠の小口端面を覆うことによって縦枠の外方側面も同時に覆われるため、縦枠カバー部にシール材を塗布しておくことで、横枠及び縦枠の接合部についてもシール性を確保することができるようになる。
【００４７】
また本発明は、上述した端部キャップにおいて、前記横枠は、前記建物の前記外壁に取り付けられ、前記外壁側の上方縁部にシール溝を有するとともに、シール溝に前記外壁との間のシールを行うシール材が塗布されたものであり、前記本体カバー部の外表面には、前記外壁側の縁部において前記横枠のシール溝に対応した部位に上下に沿い、かつ前記外壁側及び前記外表面に開口する溝状凹部が設けられていることを特徴としている。
【００４８】
この発明によれば、本体カバー部の外表面に設けられた溝状凹部にシール材を塗布すれば良く、三角シールを形成する必要がないため、容易な作業でシール性を確保することができる。しかも、シール材を塗布していない場合には、本体カバー部の外表面に溝状凹部が露出した状態となるため、目視によって容易に確認することができ、シール材の塗布作業を忘れる事態を防止することも可能となる。
【００４９】
また、本発明に係る屋根構造体は、上述した端部キャップを前記横枠の端部に取り付けたことを特徴としている。
【００５０】
この発明によれば、上述の効果を奏する屋根構造体を提供することが可能となる。
【符号の説明】
【００５１】
１０  屋外構造物、１１  躯体縦枠、１１ｂ  外方側面、１３  垂木掛け、１３ａ  シール溝、１７  前枠、１７ｆ  小口端面、１９  妻垂木、１９ｂ  外方側面、１９ｃ  下面、２１Ａ  前縦框部材、２１Ｂ  上框部材、２１Ｃ  後縦框部材、３０  前端部キャップ、３１  前本体カバー部、３１ａ  外表面、３２  前縦框カバー部、３３  前側枠カバー部、４０  後端部キャップ、４１  後本体カバー部、４１ｂ  外表面、４２  後上方カバー部、４３  後框カバー部、４４  後側枠カバー部、４５  後縦枠カバー部、７０  溝状凹部、７１  上方溝状凹部、Ｓ  シール材、Ｗ  外壁
【図１】
2020045707.tif 000003
【図２】
2020045707.tif 000004
【図３】
2020045707.tif 000005
【図４】
2020045707.tif 000006
【図５】
2020045707.tif 000007
【図６】
2020045707.tif 000008
【図７】
2020045707.tif 000009
【図８】
2020045707.tif 000010
【図９】
2020045707.tif 000011
【図１０】
2020045707.tif 000012
【図１１】
2020045707.tif 000013